(57)【要約】【課題】開封及び内容物の取出が容易で、自律的に再封緘される包装袋を提供する。【解決手段】内容物をフィルム間の収納部１に収納し、フィルムをヒートシールして封緘した包装袋において、重なり合うフィルムの側縁部同士をシールして摘みシール部２を形成し、摘みシール部２の両側方を襠状に折り込み、フィルムの折込部３の内外の重なり合った側縁部をシールして柱シール部４を形成し、フィルムを端シール部５でシールして収納部１を閉塞する。摘みシール部２を摘んで引っ張ると、端シール部５でのフィルムの貼り合わせを引き剥がして、容易に開封することができ、柱シール部４で開口部が保形されるので、内容物を容易に取り出すことができる。その後、摘みシール部２を戻すと、柱シール部４に引っ張られて開口部が自律的に閉じて、袋内への塵埃の侵入が防止される。【選択図】図１
2008081149.tif 000002
【特許請求の範囲】
【請求項１】
内容物をフィルム間の収納部(1)に収納し、フィルムをヒートシールして封緘した包装袋において、重なり合うフィルムの側縁部同士をシールして摘みシール部(2)を形成し、摘みシール部(2)の両側方を襠状に折り込み、フィルムの折込部(3)の内外の重なり合った側縁部をシールして柱シール部(4)を形成し、フィルムを端シール部(5)でシールして収納部(1)を閉塞したことを特徴とする易開封包装袋。
【発明の詳細な説明】
【技術分野】
【０００１】
この発明は、ヒートシールにより封緘した包装袋であって、開封を容易にできるようにしたものに関する。
【背景技術】
【０００２】
一般に、菓子等の包装袋として、図９に示すように、熱融着性のプラスチックフィルムにより内容物を収納部５１に包み込み、背貼シール部５２及び端シール部５３でヒートシールして封緘するピロー形式のものが使用されている。
【０００３】
また、ピロー袋以外の形式の包装袋として、下記特許文献１には、両側を襠状に折り込んだ自立形式のものが記載されている。
【０００４】
【特許文献１】実公昭４８−９３７３号公報
【発明の開示】
【発明が解決しようとする課題】
【０００５】
しかしながら、ピロー形式の包装袋は、開封に際し、袋の前面と背面とを摘んで端シール部を引き剥がそうとしても、袋に摘む余裕がなく、開封が難しい場合があり、また、手が濡れている場合や油で汚れている場合にも、手が滑って開封が難しい場合がある。
【０００６】
また、特許文献１に記載の包装袋も開封が困難であり、開封した状態で開口部の形状が不安定となって内容物が取り出しにくく、一旦開封すると、開口部が開いたままとなり、袋内に塵埃が侵入しやすいという問題もある。
【０００７】
そこで、この発明は、開封が容易で、内容物が取り出しやすく、自律的に再封緘される包装袋を提供することを課題とする。
【課題を解決するための手段】
【０００８】
上記課題を解決するため、この発明は、内容物をフィルム間の収納部に収納し、フィルムをヒートシールして封緘した包装袋において、重なり合うフィルムの側縁部同士をシールして摘みシール部を形成し、摘みシール部の両側方を襠状に折り込み、フィルムの折込部の内外の重なり合った側縁部をシールして柱シール部を形成し、フィルムを端シール部でシールして収納部を閉塞したのである。
【発明の効果】
【０００９】
この発明に係る包装袋では、摘みシール部を摘んで引っ張ると、端シール部でのフィルムの貼り合わせを引き剥がして、容易に開封することができ、柱シール部で開口部が保形されるので、内容物を容易に取り出すことができる。その後、手を離すと、柱シール部に引っ張られて開口部が自律的に閉じ、袋内への塵埃の侵入が防止される。
【発明を実施するための最良の形態】
【００１０】
以下、この発明の実施形態を添付図面に基づいて説明する。
【００１１】
図１に示す第１実施形態に係る包装袋は、熱融着性を有するプラスチックフィルム間にキャンデー等の内容物を収納する収納部１を形成し、重なり合うフィルムの側縁部同士をシールして摘みシール部２を形成し、摘みシール部２の両側方を襠状に折り込み、フィルムの折込部３の内外の重なり合った側縁部をシールして柱シール部４を形成し、フィルムを端シール部５でシールして収納部１を閉塞したものである。
【００１２】
上記のような包装袋では、図２に示すように、上端の端シール部５の一側部を保持しつつ、他側部の摘みシール部２を摘んで引っ張ると、図３に示すように、端シール部５でのフィルムの貼り合わせが引き剥がされて、容易に開封することができる。
【００１３】
そして、開封状態において、柱シール部４で開口部が保形されるので、図４に示すように、袋を傾けて、内容物を容易に取り出すことができ、一度に必要量以上の内容物が飛び出すこともない。
【００１４】
その後、図５に示すように、摘みシール部２を摘んでいた手を離すと、柱シール部４に引っ張られて開口部が自律的に閉じ、袋内への塵埃の侵入が防止される。なお、密封性をより高める必要がある場合には、クリップ等で両方の折込部３の外側からフィルムを摘んで留めると、開口部が密閉されて、確実に再封緘される。
【００１５】
また、この包装袋は、図１に示すように、封緘した状態で、両方の折込部３が反発でやや開いた状態となり、柱シール部４が座屈を防止する支柱として機能するので、スタンディング性を有するものとなり、店頭での陳列時に、起立させて並べることもできる。
【００１６】
この包装袋の製造に際しては、図６に示すように、ロールＲからフィルムＦを繰り出して半折にし、重なり合ったフィルムＦを側縁に沿ったヒートバー１１で挟み込んで摘みシール部２を形成した後、円盤体１２を押し付けて摘みシール部２の両側方に襠状の折込部３を形成し、側縁に沿ったヒートバー１３で挟み込んで柱シール部４を形成する。
【００１７】
次に、幅方向のヒートバー１４で挟み込んで一端の端シール部５を形成し、幅方向の切刃１５により端シール部５の端縁に沿ってフィルムＦを切断する。これにより、他端が開口した包装袋が形成され、この状態で包装袋は出荷される。
【００１８】
そして、食品メーカー等において、開口部からキャンデー等の内容物を袋内に挿入し、ヒートシールにより他端の端シール部５で開口部を閉じて、収納部１を密閉する。
【００１９】
なお、スタンディング性が不要な場合には、図７に示す第２実施形態のように、折込部３の内側同士を上下端部の接着部６で貼り合わせると、平積みにしたとき、折込部３が逆方向に折り返されたりすることがなく、取扱性が向上する。
【００２０】
この包装袋の製造に際しては、図８に示すように、感熱式の接着剤をロールＲに巻かれたフィルムＦに点状に塗布しておき、ヒートバー１４で一端の端シール部５と接着部６とを同時に接着し、内容物を収納した後、他端の端シール部５と接着部６とを同時に接着すればよい。
【００２１】
ところで、上記各実施形態では、袋の材料として、プラスチックフィルムを使用したものを例示したが、これに替えて、アルミ箔や薄紙の裏面に熱融着性を有するヒートシール層をラミネート等により設けたフィルムを使用してもよい。
【００２２】
また、摘みシール部２が柱シール部４より奥に引っ込んだ形態のものを例示したが、摘みシール部２は、柱シール部４より突出していてもよい。
【図面の簡単な説明】
【００２３】
【図１】この発明の第１実施形態に係る包装袋の斜視図
【図２】同上の開封過程を示す部分斜視図
【図３】同上の開封状態を示す斜視図
【図４】同上の内容物取出状態を示す部分斜視図
【図５】同上の再封緘過程を示す部分斜視図
【図６】同上の包装袋の製造工程を示す概略斜視図
【図７】この発明の第２実施形態に係る包装袋の斜視図
【図８】同上の包装袋の製造工程を示す概略斜視図
【図９】従来のピロー形式の包装袋を示す斜視図
【符号の説明】
【００２４】
１  収納部
２  摘みシール部
３  折込部
４  柱シール部
５  端シール部
６  接着部
１１，１３，１４  ヒートバー
１２  円盤体
１５  切刃
Ｒ  ロール
Ｆ  フィルム
【図１】
2008081149.tif 000003
【図２】
2008081149.tif 000004
【図３】
2008081149.tif 000005
【図４】
2008081149.tif 000006
【図５】
2008081149.tif 000007
【図６】
2008081149.tif 000008
【図７】
2008081149.tif 000009
【図８】
2008081149.tif 000010
【図９】
2008081149.tif 000011